(57)【要約】【課題】吊り戸棚の扉を容易に開閉しうる。【解決手段】壁面６の上部に設けられる吊り戸棚１である。物品を収納可能な収納空間１５を有しかつ前面が解放された箱状の戸棚本体２と、戸棚本体２の前面を開閉可能に覆いかつ取っ手４が設けられた扉３とを有する。取っ手４は、棒状体２１からなるとともに、扉３の下縁３ｂに沿って水平にのびる水平状態と、扉３の下縁３ｂから下方に垂れ下がる垂直状態との間を向き換え可能に扉３に枢着される。【選択図】図１
2010131318.tif 000002
【特許請求の範囲】
【請求項１】
壁面の上部に設けられる吊り戸棚であって、
物品を収納可能な収納空間を有しかつ前面が解放された箱状の戸棚本体と、
前記戸棚本体の前面を開閉可能に覆いかつ取っ手が設けられた扉とを有し、
前記取っ手は、棒状体からなるとともに、前記扉の下縁に沿って水平にのびる水平状態と、前記扉の下縁から下方に垂れ下がる垂直状態との間を向き換え可能に前記扉に枢着されることを特徴とする吊り戸棚。
【請求項２】
前記扉は、上に向けて跳ね上げ可能な折れ戸である請求項１に記載の吊り戸棚。
【請求項３】
前記扉は、前記取っ手を水平状態で保持する保持手段が設けられる請求項１又は２に記載の吊り戸棚。
【請求項４】
前記取っ手は、自在継手を介して扉に固着される請求項１ないし３のいずれかに記載の吊り戸棚。
【請求項５】
前記取っ手は、前記扉の幅方向の中央部に枢着される請求項１ないし４のいずれかに記載の吊り戸棚。
【請求項６】
前記取っ手は、前記扉の幅方向の一端側に寄せて枢着される請求項１ないし４のいずれかに記載の吊り戸棚。
【請求項７】
前記取っ手は、前記扉と平行な水平軸回りに回動可能に枢着される請求項１ないし６の何れかに記載の吊り戸棚。
【発明の詳細な説明】
【技術分野】
【０００１】
本発明は、壁面の上部に設けられる吊り戸棚に関し、詳しくは扉の開閉を容易に行ないうる吊り戸棚に関する。
【背景技術】
【０００２】
例えば、キッチン内の空間を有効に活用して収納スペースを確保するために、キッチンの壁面の上部には吊り戸棚が設けられることが多い（例えば下記特許文献１参照）
【０００３】
【特許文献１】特開２００５−１４４０６４号公報
【発明の開示】
【発明が解決しようとする課題】
【０００４】
しかしながら、吊り戸棚は、壁面の上部に設置されるため、通常、その扉を開閉するための取っ手も高い位置にある。したがって、例えば小柄な女性等にとっては、取っ手に手が届いても扉の開閉を操作しずらいという問題があった。特に、扉が上に向けて跳ね上げられる上解放の折れ戸の場合、扉を開くと、取っ手がさらに高所に位置するため、閉じるのがさらに困難になるという問題がある。
【０００５】
本発明は、以上のような実状に鑑み案出されたもので、吊り戸棚の扉に設けられる取っ手を棒状体とするとともに、該取っ手を扉の下縁に沿って水平にのびる水平状態と、扉の下縁から下方に垂れ下がる垂直状態との間で向き換え可能に扉に枢着することを基本として、扉の開閉操作を容易に行いうる吊り戸棚を提供することを主たる目的としている。
【課題を解決するための手段】
【０００６】
本発明のうち請求項１記載の発明は、壁面の上部に設けられる吊り戸棚であって、物品を収納可能な収納空間を有しかつ前面が解放された箱状の戸棚本体と、前記戸棚本体の前面を開閉可能に覆いかつ取っ手が設けられた扉とを有し、前記取っ手は、棒状体からなるとともに、前記扉の下縁に沿って水平にのびる水平状態と、前記扉の下縁から下方に垂れ下がる垂直状態との間を向き換え可能に前記扉に枢着されることを特徴とする。
【０００７】
また請求項２記載の発明は、扉は、上に向けて跳ね上げ可能な折れ戸である請求項１に記載の吊り戸棚である。
【０００８】
また請求項３記載の発明は、前記扉は、前記取っ手を水平状態で保持する保持手段が設けられる請求項１又は２に記載の吊り戸棚である。
【０００９】
また請求項４記載の発明は、前記取っ手は、自在継手を介して扉に固着される請求項１ないし３のいずれかに記載の吊り戸棚である。
【００１０】
また請求項５記載の発明は、前記回動手段は、前記扉の幅方向の一端側に枢着される請求項１ないし４のいずれかに記載の吊り戸棚である。
【００１１】
また請求項６記載の発明は、前記取っ手は、前記扉の幅方向の一端側に枢着される請求項１ないし４のいずれかに記載の吊り戸棚である。
【００１２】
また請求項７記載の発明は、前記取っ手は、前記扉と平行な水平軸回りに回動可能に枢着される請求項１ないし６の何れかに記載の吊り戸棚である。
【発明の効果】
【００１３】
本発明の吊り戸棚は、扉に設けられた取っ手が棒状体からなるとともに、扉の下縁に沿って水平にのびる水平状態と、扉の下縁から下方に垂れ下がる垂直状態との間で向き換え可能に扉に枢着される。このような吊り戸棚は、取っ手を垂直状態として扉の下縁よりも下方へ垂れ下げうるので、取っ手に手が届き易く、かつ、扉の開閉操作を容易に行わせることができる。また、取っ手は、扉の下縁に沿って水平にのびる水平状態に向き換えしたときには、扉との一体感を醸しだし、吊り戸棚の見映えの悪化も防止できる。
【発明を実施するための最良の形態】
【００１４】
以下、本発明の実施の一形態が図面に基づき説明される。
図１には、本実施形態の吊り戸棚１の一実施形態を示すキッチン空間の斜視図、図２（ａ）、（ｂ）は、図１の吊り戸棚１の縦断面図を示す。
【００１５】
図１に示されるように、本実施形態の吊り戸棚１は、キッチン台５が設けられた壁面６の上部に左右に２つ並べて設けられている。このような吊り戸棚１は、キッチン台５の上部の空間を、収納スペースとして有効に活用するのに役立つ。
【００１６】
本実施形態の吊り戸棚１は、前面が解放された箱状の戸棚本体２と、該戸棚本体２の前面を開閉可能に覆う扉３と、該扉３を開閉する際に把持される取っ手４とを含む。
【００１７】
図２（ａ）、（ｂ）に示されるように、戸棚本体２は、例えば、水平にのびる天板１１、該天板１１と平行にのびる底板１２、これらの間を継ぎかつ垂直にのびる左右の側板１３及び背板１４を組み付けることにより、内部に物品を収納可能な収納空間１５が形成される。なお、戸棚本体２には、収納空間１５を上下に仕切る棚板１６が適宜配されても良い。
【００１８】
本実施形態の扉３は、戸棚本体２の前面を閉じた状態（図１の左側の吊り戸棚１に示される。）において、正面視略矩形状に形成される。また、本実施形態の扉３は、戸棚本体２の天板１１に蝶番１８によって回動可能に連結され、かつ、該扉３の上部側を構成する上部材３Ａと、該上部材３Ａに蝶番１７によって扉３と平行な水平軸回りで回動可能に連結された下部材３Ｂとから形成された折り戸として形成される。
【００１９】
このような扉３は、図２（ａ）の閉止状態から下部材３Ｂを上方へ押し上げることにより、図２（ｂ）に示されるように、上部材３Ａと下部材３Ｂとを屈曲させ、かつ、上部材３Ａが図において左回りに回動しながら上部へと跳ね上げられる扉解放状態が得られる。なお、扉３の開閉動作を円滑に行うために、戸棚本体２と扉３との間に、ガスダンパー２０等が設けられるのが望ましい。
【００２０】
図３に拡大して示されるように、本実施形態において、取っ手４は、扉３の下部材３Ｂの前面かつ水平な下縁３ｂ側に枢着された棒状体からなる。即ち、取っ手４の一端側には、孔２２が形成されるとともに、該孔２２は、扉３の前面に該前面から直角に突出形成された支持部２４に回動自在に枢着される。
【００２１】
前記支持部２４は、例えば、扉３に固着された円柱状の本体部２４ａと、該本体部２４ａに連設されかつ前記孔２２よりも細い径の円柱からなる小径部２４ｂと、該小径部２４ｂの先端に連設されたネジ軸部２４ｃとを含む。取っ手４は、前記孔２２を小径部２４ｂに円周方向及び軸方向に隙間を有して遊嵌挿入されるとともに、ネジ軸部２４ｃに螺着されるナット２９により抜け止めされる。これにより、取っ手４は、扉３の前面と直角な水平軸回りで回動自在に扉３に枢着される。なお、ナット２９には、これを目隠しするキャップ部材（図示省略）などが装着されるのが望ましい。
【００２２】
また、取っ手４の他端側には、扉３側へ小長さでのびる凸部材２３が固着される。なお、取っ手４を回動させた際に、凸部材２３が扉３の前面等とこじれるのを防止するために、凸部材２３の軸方向長さＬ２は、例えば前記支持部２４の本体部２４ａの軸方向長さＬ１よりも小さく形成されるのが良い。また、本実施形態の凸部材２３は、磁石に吸着される強磁性体を含んで構成されている。
【００２３】
また、本実施形態の扉３には、取っ手４を、扉３の下縁３ｂに沿った水平状態に保持しうる保持手段２５が設けられる。
【００２４】
本実施形態の保持手段２５は、扉３の前面から前方に突出するとともに磁石３２が内蔵された吸着部３１からなる。該吸着部３１は、対向して向き合わされた取っ手４の前記凸部材２３を吸着しかつ保持しうる。これにより、取っ手４は、扉３の下縁３ｂに沿った水平状態に保持される。なお、吸着部３１の軸方向長さＬ３と凸部材２３の軸方向長さＬ２との和は、支持部の本体部２４ａの軸方向長さＬ１と同程度か僅かにこれよりも大きく構成される。吸着部３１から凸部材２３を引き離すことにより、下方へと垂下しうる。
【００２５】
このような吊り戸棚１は、例えば図１の左側及び図４（ａ）に仮想線で示されるように、取っ手４を水平状態に保持させることにより、吊り戸棚１との一体感を醸しだし、見栄えの悪化を防止できる。
【００２６】
また、吊り戸棚１の扉３を開く際には、取っ手４に図において反時計回りに回動させる向きの力を加えることにより、凸部材２３が保持手段２５から離間し、取っ手４は、前記水平状態から、扉３の下縁３ｂからさらに下方に垂れ下がる垂直状態へと向き換えされる。
【００２７】
しかる後、図１の右側の吊り戸棚１及び図４（ｂ）に示されるように、ユーザーは、下方に垂れ下がる取っ手４を確実に把持して扉３を上方に容易に押し上げ、扉３を跳ね上げできる。これにより、戸棚本体２の前面が開かれ、収納空間１５への物品の出し入れを行なうことができる。
【００２８】
また、扉３を閉止する際には、取っ手４を下方へ引き下げることによって、図４（ｃ）に示されるように、戸棚本体２の前面を閉じることができる。なお、図４（ｂ）のように扉３を跳ね上げた状態において、垂直状態の取っ手４の下端が、戸棚本体２の下縁２ｂよりも低い位置に設けられるのが好ましい。これにより、ユーザは、扉の閉止時でもより確実に取っ手４を操作することが可能になる。そして、扉３を閉止した後、取っ手４を図４において時計回りに回動させ、かつ、凸部材２３を保持手段２５に吸着させる。これにより、取っ手４は、垂直状態から水平状態へと向き換えされて保持される。
【００２９】
このように、本実施形態の吊り戸棚１は、取っ手４を垂直状態として扉３の下縁３ｂから下方へ垂れ下げることによって、低い位置に取っ手４を移動させることができるので、手が届き易く、かつ、扉３の開閉操作を容易に行うことができる。また、取っ手４を水平状態へ向き換えすることにより、見映えを損ねることもない。
【００３０】
また、本実施形態の取っ手４は、保持手段２５によって水平状態に保持されるので、重力等による不用意な向き換えを抑制しうる。しかも、本実施形態のように、保持手段２５が磁石３２（図３に示す）による磁力によって取っ手４を保持する場合には、該保持手段２５と取っ手４との着脱を容易に行うことができる点で望ましい。ただし、保持手段２５には、上述の磁力を用いたものの他、嵌め込み等による機械的な保持機構（図示省略）などが採用されても良い。
【００３１】
また、本実施形態の取っ手４は、図４（ｂ）に示されるように、扉３の中央部よりも幅方向の一端側に寄せた位置に枢着される。これは、取っ手４が水平状態から垂直状態へ向き換えされた際、収納空間１５の前面を広く開放させるのに役立つ。従って、収納空間１５に物品を出し入れする際に、取っ手４が障害になることもない。
【００３２】
図５及び図６には、本発明の他の実施形態の吊り戸棚の正面図及び部分斜視図が示される。この実施形態のように、取っ手４は、水平状態に保持されたときに、扉３の下縁３ｂ設けられた溝４３内に収納させても良い。
【００３３】
溝４３は、図５（ａ）のｂ−ｂ及びｃ−ｃ断面である図５（ｂ）及び（ｃ）に示されるように、扉３の下縁３ｂに沿ってのびており、取っ手４を水平に保持した状態で実質的にその全部を収容しうる容積を有する。
【００３４】
また、取っ手４は、その一端側に扉３の前面と直交する向きにのびる孔２２を有するボス部４１が形成される。孔２２は、図５（ｃ）に示されるように、例えばピン４５及びナット部材４７で扉３に回動自在に枢着される。なお、本実施形態の取っ手４は、例えば強磁性体の金属材料で形成されるとともに、溝４３には、図６に示されるように、取っ手４を吸着することにより該取っ手４を水平に保持する保持手段２５としての磁石３２が固着されている。
【００３５】
さらに、前記ボス部４１には、取っ手４の水平状態において、該取っ手４とは反対側にのびる突片４２が形成される。なお、溝４３には、この突片４２がピン４５回りに回動する際の衝合を防ぐ空所４４が形成される。
【００３６】
このような取っ手４は、不使用時、保持手段２５によって水平状態に保持され、扉３の内部に収容される。したがって、吊り戸棚１の見栄えを損ねることがない。また、突片４２が下から上に押し上げられることによって、取っ手４は図５（ａ）において、反時計回りに回動し、保持手段２５から離脱して扉３の下縁３ｂから下方に垂れ下がる垂直状態に向き換えできる。なお、扉３を開閉した後は、図５（ａ）において、取っ手４を時計回りに回動させることによって、保持手段２５で取っ手４を吸着し、再び水平状態へ向き換えしうる。
【００３７】
図７には、本発明のさらに他の実施形態が示される。この実施形態では、取っ手４が自在継手３６を介して扉３に枢着される。本実施形態の自在継手３６は、戸棚本体２の前面に突出固着されたロッド部３７と、該ロッド部３７の先端に形成される球状体３８と、該球状体３８に対して摺動可能かつ抜け止めされて嵌合するホルダー部３９とから形成される。そして、このホルダー部３９に取っ手４の一端側が固着されている。
【００３８】
このような自在継手３６は、取っ手４を、扉３の前面と直交する水平軸Ｈ１のみならず、扉（扉の前面）３と平行な水平軸Ｈ２の回りにも回動させることができる。したがって、例えば、図８（ａ）、（ｂ）に示されるように、取っ手４は、戸棚本体２の収納空間１５の中の物品Ｌを前方に引き出す際に、扉３と平行な水平軸Ｈ２回りに傾動させて物品Ｌとの干渉を防止できる。
【００３９】
さらに、図９に示されるように、取っ手４は、扉３の幅方向の中央部に枢着されても構わない。この場合、取っ手４を上述の自在継手を組み合わせることが特に望ましい。
【００４０】
なお、本発明の吊り戸棚１は、扉３が上に向けて跳ね上げられる折れ戸タイプに限定されるものではない。例えば、図１０（ａ）、（ｂ）に示されるように、いわゆる観音開きの扉５１、５１を有する吊り戸棚１でも良い。
【００４１】
以上、本発明の特に好ましい実施形態について詳述したが、本発明は図示の実施形態に限定されることなく、種々の態様に変形して実施しうる。
【図面の簡単な説明】
【００４２】
【図１】本実施形態の吊り戸棚の一形態を示す斜視図である。
【図２】（ａ）は戸棚本体の前面を閉じた状態を示す縦断面図、（ｂ）は戸棚本体の前面を開いた状態を示す縦断面図である。
【図３】取っ手を拡大して示す斜視図である。
【図４】（ａ）は取っ手が垂直状態へ向き換えされた状態を示す正面図、（ｂ）は戸棚本体の前面が開かれた状態を示す正面図、（ｃ）は戸棚本体の前面が閉じられた状態を示す正面図である。
【図５】本発明の他の実施形態を示し、（ａ）は吊り戸棚の正面図、（ｂ）はそのｂ−ｂ断面図、（ｃ）はそのｃ−ｃ断面図である
【図６】取っ手付近の要部斜視図である。
【図７】自在継手を拡大して示す斜視図である
【図８】（ａ）は棚から荷物を引き出す状態を示す縦断面図、（ｂ）は取っ手を扉と平行な水平軸回りに回動させた状態を示す縦断面図である。
【図９】（ａ）は本発明の他の実施形態の吊り戸棚を示す正面図、（ｂ）はその吊り戸棚の前面が開かれた状態を示す正面図である。
【図１０】（ａ）は本発明の他の実施形態の吊り戸棚を示す正面図、（ｂ）はその吊り戸棚の前面が開かれた状態を示す正面図である。
【符号の説明】
【００４３】
１    吊り戸棚
２    戸棚本体
３    扉
３ｂ    下縁
４    取っ手
６    壁面
１５    空間
２１    棒状体
【図１】
2010131318.tif 000003
【図２】
2010131318.tif 000004
【図３】
2010131318.tif 000005
【図４】
2010131318.tif 000006
【図５】
2010131318.tif 000007
【図６】
2010131318.tif 000008
【図７】
2010131318.tif 000009
【図８】
2010131318.tif 000010
【図９】
2010131318.tif 000011
【図１０】
2010131318.tif 000012